(57)【特許請求の範囲】
【請求項１】
被測定者の腹部に巻き付けるベルト部材に、被測定者の体表面における臍位置に接触する第１電極と、背中位置に接触する第２電極と、脇腹位置に接触する一対の第３電極とを設置して、第１電極と第２電極の間に電流を流し、一対の第３電極の間に発生する電圧値に基づいて、被測定者の腹部の脂肪量を測定するベルト式体脂肪測定装置であって、
第１電極および第２電極は、ベルト部材の巻き付け力で臍位置および背中位置に接触させるとともに、前記ベルト部材の脇腹位置付近に開口部を形成して、一対の第３電極は、この開口部から被測定者の脇腹位置に貼り付けて接触させるようにしたことを特徴とするベルト式体脂肪測定装置。
【請求項２】
前記ベルト部材の脇腹位置付近を幅広に形成して、この幅広部に、前記ベルト部材の長手方向に延在する長方形状の前記開口部を形成したことを特徴とする請求項１に記載のベルト式体脂肪測定装置。
【請求項３】
前記第２電極は、前記ベルト部材の長手方向にスライド移動可能に設けてあり、前記ベルト部材には、第１電極から第２電極までの距離を示す目印を形成するとともに、前記開口部の内縁には、第１電極と前記目印との間の距離の略半分の長さに相当する位置に、一対の第３電極の位置決め用目印を形成することを特徴とする請求項１または２に記載のベルト式体脂肪測定装置。
【請求項４】
前記各目印は、第１電極と第２電極との間のベルト部材の周長さの目盛りであることを特徴とする請求項３に記載のベルト式体脂肪測定装置。
【請求項５】
一対の第３電極は、可撓性のプラスチック板に所定の間隔で取付け、一対の第３電極には、被測定者の体表面に粘着力で貼り付け可能なゲルを付着させていることを特徴とする請求項１〜４のいずれか一項に記載のベルト式体脂肪測定装置。
【発明の詳細な説明】
【技術分野】
【０００１】
本発明は、ベルト式体脂肪測定装置に関する。
【背景技術】
【０００２】
従来、図５に示すように、被測定者１の腹部２に巻き付けるベルト部材３に、被測定者１の体表面における臍位置１ａに接触する第１電極４と、背中位置１ｂに接触する第２電極５と、脇腹位置１ｃに接触する一対の第３電極６ａ，６ｂとを設けたベルト式体脂肪測定装置がある（特許文献１参照）。
【０００３】
そして、制御部７を操作して被測定者１のウエスト長や性別等の身体情報を入力し、制御部７の測定開始ボタン等を押す。これにより、測定手段が第１電極４と第２電極５の間に電流を流し、一対の第３電極６ａ，６ｂの間に発生する電圧値を測定する。ついで、算出手段が測定された電圧値と入力された身体情報等に基づいて、被測定者１の腹部の脂肪量を算出し、算出された脂肪量は表示装置８で表示されるようになる。
【０００４】
特許文献１のベルト式体脂肪測定装置は、人体の内部に存在する内臓脂肪量等を簡便に測定できるという長所を有している。
【特許文献１】特許第３３９６６７７号公報
【発明の開示】
【発明が解決しようとする課題】
【０００５】
ところで、特許文献１のベルト式体脂肪測定装置では、第１電極４と第２電極５と一対の第３電極６ａ，６ｂの全てをベルト部材３に固定状態で設置している。
【０００６】
このために、特に、脇腹位置１ｃに接触する一対の第３電極６ａ，６ｂは、ベルト部材３の腹部２への巻き付け力が強すぎると、腹部２に強く押し付けられることになるので、測定電圧が変化して、測定精度に影響を及ぼしやすくなる。逆に、ベルト部材３の巻き付け力が弱すぎると、腹部２に接触しにくくなるので、同様に、測定精度に影響を及ぼしやすくなる。
【０００７】
本発明は、前記問題を改善するためになされたもので、測定精度に影響を及ぼさないように、ベルト部材に一対の第３電極を設置できるように工夫したベルト式体脂肪測定装置を提供することを目的とするものである。
【課題を解決するための手段】
【０００８】
前記課題を解決するために、本発明は、被測定者の腹部に巻き付けるベルト部材に、被測定者の体表面における臍位置に接触する第１電極と、背中位置に接触する第２電極と、脇腹位置に接触する一対の第３電極とを設置して、第１電極と第２電極の間に電流を流し、一対の第３電極の間に発生する電圧値に基づいて、被測定者の腹部の脂肪量を測定するベルト式体脂肪測定装置であって、第１電極および第２電極は、ベルト部材の巻き付け力で臍位置および背中位置に接触させるとともに、前記ベルト部材の脇腹位置付近に開口部を形成して、一対の第３電極は、この開口部から被測定者の脇腹位置に貼り付けて接触させるようにしたことを特徴とするベルト式体脂肪測定装置を提供するものである。
【０００９】
請求項２のように、請求項１において、前記ベルト部材の脇腹位置付近を幅広に形成して、この幅広部に、前記ベルト部材の長手方向に延在する長方形状の前記開口部を形成することが好ましい。
【００１０】
請求項３のように、請求項１または２において、前記第２電極は、前記ベルト部材の長手方向にスライド移動可能に設けてあり、前記ベルト部材には、第１電極から第２電極までの距離を示す目印を形成するとともに、前記開口部の内縁には、第１電極と前記目印との間の距離の略半分の長さに相当する位置に、一対の第３電極の位置決め用目印を形成することが好ましい。
【００１１】
請求項４のように、請求項３において、前記各目印は、第１電極と第２電極との間のベルト部材の周長さの目盛りであることが好ましい。ここで、ベルト部材の周長さとは、ベルト部材の長手方向に沿って測った長さのことをいい、ベルト部材を被測定者の腹部に巻き付けたとき、その長さは腹部の周方向長さに対応する。
【００１２】
請求項５のように、請求項１〜４のいずれか一項において、一対の第３電極は、可撓性のプラスチック板に所定の間隔で取付け、一対の第３電極には、被測定者の体表面に粘着力で貼り付け可能なゲルを付着させていることが好ましい。
【発明の効果】
【００１３】
本発明によれば、第１電極および第２電極は、ベルト部材の腹部への巻き付け力で臍位置および背中位置に接触させるようにする。これに対して一対の第３電極は、ベルト部材の脇腹位置付近に形成した開口部から被測定者の脇腹位置に貼り付けて接触させるようにする。すなわち、一対の第３電極は、ベルト部材の開口部から被測定者の脇腹位置に貼り付けて接触させるだけである。したがって、ベルト部材の巻き付け力が強すぎても、腹部に強く押し付けられることが無く、逆に、ベルト部材の巻き付け力が弱すぎても、腹部に接触しにくくなることが無い。このようにして、測定精度に影響を及ぼさないように、ベルト部材に対して一対の第３電極を設置できるようになる。
【００１４】
請求項２によれば、ベルト部材の幅広部に長方形状の開口部を形成することで、ベルト部材を腹部に巻き付けて引っ張った時に、引っ張り力が幅広部に均等に作用するので、開口部がよじれる等することがなくなる。
【００１５】
請求項３によれば、第２電極を背中位置までスライド移動させた時に、第１電極から第２電極までの距離を示す目印を覚える。そして、その目印を参考にして、一対の第３電極を開口部の位置決め用目印に合わせて、被測定者の脇腹位置に貼り付ける。開口部の位置決め用目印は、第１電極と第２電極との間のベルト部材の周長さの半分の長さに相当する位置に形成しているので、一対の第３電極を、第１電極と第２電極との中間位置において、被測定者の脇腹位置に正確に貼り付けることができる。
【００１６】
請求項４によれば、各目印が第１電極と第２電極との間のベルト部材の周長さの目盛りであれば、被測定者の腹部の全周長さを簡易に測定することができる。
【００１７】
請求項５によれば、可撓性のプラスチック板に一対の第３電極を所定の間隔で取付けることで、一対の第３電極の間隔を正確に維持できるようになる。また、一対の第３電極にゲルを付着させることで、一対の第３電極を被測定者の体表面に簡単かつ迅速に貼り付けることができ、被測定者の体表面から簡単かつ迅速に取り外すことができる。さらに、プラスチック板が可撓性であるので、被測定者の体表面の湾曲に馴染みやすい。
【発明を実施するための最良の形態】
【００１８】
以下、本発明を実施するための最良の形態について、図面を参照しながら詳細に説明する。なお、背景技術と同一構成・作用の箇所は、同一番号を付して詳細な説明を省略する。
【００１９】
図１は、被測定者１の腹部２に巻き付けるベルト部材１３を正面から見た展開図である。ベルト部材１３の基端部１３ａにはバックル２０が固定され、このバックル２０の前面には面ファスナー（例えばフック部）２１ａが取付けられている。また、ベルト部材１３の先端部１３ｂの裏面には相手となる面ファスナー（例えばループ部）２１ｂが取付けられている。
【００２０】
ここで、面ファスナーとは、フック部とループ部とが対をなして、両者を強く圧迫すると、フック部とループ部とが相互に外れにくいように係止される。また、フック部とループ部とを手で強く引き剥がすと、フック部とループ部との係止が外れるものをいい、メカニカルファスナーとも呼ばれている。
【００２１】
そして、図４（ａ）のように、バックル２０を被測定者１の体表面における臍位置１ａに宛い、ベルト部材１３を時計回りに回しながら、先端部１３ｂの面ファスナー（ループ部）２１ｂをバックル２０の面ファスナー（フック部）２１ａに貼り付ける。これにより、図４（ａ）（ｂ）のように、ベルト部材１３を被測定者１の腹部２に巻き付けることができる。
【００２２】
図１に戻って、ベルト部材１３のバックル２０の裏面には、被測定者１の体表面における臍位置１ａに接触する第１電極４が設けられている。また、ベルト部材１３には、ベルト部材１３に沿って矢印方向ａにスライド移動可能なカーソル部材２２が嵌め合わされ、このカーソル部材２２の裏面には、被測定者１の体表面における背中位置１ｂに接触する第２電極５が設けられている。そして、第２電極５は、背中位置１ｂまでスライド移動させることで、位置調整が行えるようになる。なお、第１、第２電極４，５は、それぞれ複数個を設けることもできる。
【００２３】
ベルト部材１３の脇腹位置１ｃの付近は幅広に形成され、この幅広部１３ｃに、ベルト部材１３の長手方向に延在する長方形状の開口部１３ｄが形成されている。
【００２４】
図３に示すように、ベルト部材１３の開口部１３ｄ内に余裕をもって嵌め込み可能な可撓性のプラスチック板２３が別に設けられ、このプラスチック板２３に一対の第３電極６ａ，６ｂが所定の間隔で取付けられている。この一対の第３電極６ａ，６ｂには、被測定者１の体表面に粘着力で貼り付け可能なゲルを付着させている。この一対の第３電極６ａ，６ｂは、プラスチック板２３をベルト部材１３の開口部１３ｄ内に嵌め込んで、ゲルで測定者１の体表面に貼り付けることで、測定者１の体表面における脇腹位置１ｃに接触するようになる。プラスチック板２３には、一対の第３電極６ａ，６ｂの間に、矢印マークｂが印刷されている。なお、プラスチック板２３は、測定者１の体表面に貼り付ける前は、幅広部１３ｃにクリップ等で挟んで保持しておく。また、一対の第３電極６ａ，６ｂに付着させたゲルには、剥離シートを貼っておき、貼り付け直前に剥離シートを剥がすようにする。
【００２５】
ここで、臍位置１ａとは、臍穴の真中心では第１電極４が体表面に接触しにくいことから、真中心から周方向に数ｃｍずらせた位置付近とすることが好ましい。同様に、背中位置１ｂも背骨の真中心から周方向に数ｃｍずらせた位置付近とすることが好ましい。さらに、脇腹位置１ｃとは、第１電極４と第２電極５の間のベルト部材３の周長さの略半分の長さに相当する位置付近である。
【００２６】
ベルト部材１３の開口部１３ｄの下縁部分には、電線接続用ターミナル２４が矢印方向ａに移動可能に吊り紐２４ａで吊り下げられ、このターミナル２４には、第１電極４と第２電極５の電線２５ａ，２５ｂがそれぞれ接続されている。また、一対の第３電極６ａ，６ｂの電線２５ｃ，２５ｄもそれぞれ接続されている。さらに、ベルト部材１３とは分離して、別位置に設置した制御部７の電線２５ｅが接続されている。
【００２７】
そして、制御部７を操作して被測定者１のウエスト長や性別等の身体情報を入力し、制御部７の測定開始ボタン等を押す。これにより、制御部７内に設けられた測定手段が第１電極４と第２電極５の間に電流を流し、一対の第３電極６ａ，６ｂの間に発生する電圧値を測定する。ついで、制御部７内に設けられた算出手段が測定された電圧値と入力された身体情報等に基づいて、被測定者１の腹部の脂肪量を算出し、算出された脂肪量は表示装置８で表示されるようになる。
【００２８】
図２に示すように、ベルト部材１３には、バックル２０の第１電極４を原点として、カーソル部材２２の第２電極５までのベルト部材１３の周長さを表す目盛り２６が印刷されている。この目盛り２６の数字３１，３２，…の単位はｃｍである。したがって、例えばカーソル部材２２の突起２２ａが数字３８の位置にあるとすれば、第１電極４と第２電極５との間のベルト部材１３の周長さが３８ｃｍであることを意味する。このことから、被測定者１の腹回り長さの半分が約３８ｃｍであり、腹回り長さの全長が約７６ｃｍであると目視で確認することができる。
【００２９】
また、図３の示すように、ベルト部材１３の開口部１３ｄの内縁には、第１電極４と第２電極５との間のベルト部材１３の周長さの略半分の長さに相当する位置に、第３電極位置決め用目盛り２７が印刷されている。このとき、目盛り２７は、第１電極４から目盛り２６の各目盛りまでの距離の半分の位置を指し示している。この関係を一目で分かるようにするため、目盛り２７には、対応する目盛り２６と同じ数字３１，３２，…が振られている。そして、例えばカーソル部材２２の突起２２ａが目盛り２６の数字３８の位置にあるとすれば、プラスチック板２３をベルト部材１３の開口部１３ｄ内に嵌め込みながら、矢印マークｂを開口部１３ｄの第３電極位置決め用目盛り２７の数字３８に合わせる。その状態で、一対の第３電極６ａ，６ｂをプラスチック板２３とともにゲルで測定者１の体表面に貼り付けるようにする。
【００３０】
前記のようなベルト式体脂肪測定装置であれば、第１電極４および第２電極５は、ベルト部材１３に一体として設置している。したがって、被測定者１がベルト部材１３を腹部に巻き付けると、ベルト部材１３の巻き付け力で、第１電極４および第２電極５が被測定者１の体表面の臍位置１ａおよび背中位置１ｂに接触するようになる。
【００３１】
これに対して一対の第３電極６ａ，６ｂは、プラスチック板２３とともに、ベルト部材１３の開口部１３ｄから被測定者１の脇腹位置１ｃに貼り付けることで接触するようになる。
【００３２】
すなわち、一対の第３電極６ａ，６ｂは、ベルト部材１３の開口部１３ｄから被測定者１の脇腹位置１ｃに貼り付けて接触させるだけである。したがって、ベルト部材１３の巻き付け力が強すぎても、腹部２に強く押し付けられることが無く、逆に、ベルト部材１３の巻き付け力が弱すぎても、腹部２に接触しにくくなることが無い。
【００３３】
このようにして、測定精度に影響を及ぼさないように、ベルト部材１３に対して一対の第３電極６ａ，６ｂを設置できるようになる。
【００３４】
また、ベルト部材１３の幅広部１３ｃに長方形状の開口部１３ｄを形成することで、ベルト部材１３を腹部２に巻き付けて引っ張った時に、引っ張り力が幅広部１３ｃに均等に作用するので、開口部１３ｄがよじれる等することがなくなる。
【００３５】
さらに、第２電極５を背中位置１ｂまでスライド移動させた時に、第２電極５の位置を示す目盛り２６（例えば数字３８）を覚える。そして、それと同じ数字をもつ目盛り２７（例えば数字３８）に合わせて、一対の第３電極６ａ，６ｂをプラスチック板２３とともに被測定者１の脇腹位置１ｃに貼り付ける。開口部１３ｄの位置決め用目盛り２７は、第１電極４と第２電極５との間のベルト部材１３の周長さの半分の長さに相当する位置に形成しているので、一対の第３電極６ａ，６ｂを、第１電極４と第２電極５との中間位置において、被測定者１の脇腹位置１ｃに正確に貼り付けることができる。
【００３６】
また、各目盛り２６，２７が第１電極４と第２電極５との間のベルト部材１３の周長さの目盛りであるから、被測定者１の腹部２の全周長さを簡易に測定することができる。
【００３７】
さらに、可撓性のプラスチック板２３に一対の第３電極６ａ，６ｂを所定の間隔で取付けることで、一対の第３電極６ａ，６ｂの間隔を正確に維持できるようになる。また、一対の第３電極６ａ，６ｂにゲルを付着させることで、一対の第３電極６ａ，６ｂを被測定者１の体表面に簡単かつ迅速に貼り付けることができ、被測定者１の体表面から簡単かつ迅速に取り外すことができる。さらに、プラスチック板２３が可撓性であるので、被測定者１の体表面の湾曲に馴染みやすい。なお、プラスチック板２３は透明、不透明のいずれでもよいが、透明にした場合は、一対の第３電極６ａ，６ｂを透視しながら被測定者１の体表面に貼り付けることができる。
【００３８】
前記実施形態では、目盛り（目印）２６，２７は数字（スケール目盛り）であったが、例えば、Ａ，Ｂ，Ｃ等の文字であっても、絵文字のようなものであっても良い。
【００３９】
前記実施形態は、腹部２の脂肪量を測定するものであり、特に内臓脂肪量の測定に好適であるが、各電極の信号処理等を行えば、皮下脂肪量の測定も可能である。
【図面の簡単な説明】
【００４０】
【図１】本発明の実施形態のベルト式体脂肪測定装置の展開図である。
【図２】ベルト部材のカーソル部材付近の拡大図である。
【図３】ベルト部材の開口部付近の拡大図である。
【図４】被測定者の腹部に巻き付けたベルト部材であり、（ａ）は正面図、（ｂ）は背面図である。
【図５】先行技術のベルト式体脂肪測定装置であり、（ａ）は展開図、（ｂ）は被測定者の腹部に巻き付けたベルト部材の側面図、（ｃ）は断面図である。
【符号の説明】
【００４１】
１      被測定者
１ａ    臍位置
１ｂ    背中位置
１ｃ    脇腹位置
２      腹部
４      第１電極
５      第２電極
６ａ，６ｂ  一対の第３電極
１３    ベルト部材
１３ｃ  幅広部
１３ｄ  開口部
２２  カーソル部材
２３  プラスチック板
２６，２７  目盛り（目印）
【図１】
0004625109.tif 000002
【図２】
0004625109.tif 000003
【図３】
0004625109.tif 000004
【図４】
0004625109.tif 000005
【図５】
0004625109.tif 000006